(57)【要約】【課題】データを受信する可能性がない期間を予測してデータ復号部の動作を停止してバッテリーの消費電流を軽減する。【解決手段】基地局よりの信号受信状態の良否を判定するとともに、基地局より受信した下り共通チャネル（ＳＣＣＰＣＨ）に含まれるＴＦＣＩのデコード処理において得られる尤度値が閾値より小さいか判定し、受信無し判定部１１は受信状態が良好で、尤度値が閾値より小さい時、受信無し区間であると判定して移動局の復号部８の動作を停止し、受信状態が良好で尤度値が閾値より大きい時、および受信状態が不良の時、復号部を動作する。【選択図】    図１
2004356837.tif 000002
【特許請求の範囲】
【請求項１】
下り共通チャネルと上り共通チャネルにより基地局と移動局との間で通信を行うランダムアクセス状態における移動局のランダムアクセス受信方法において、
基地局よりの信号受信状態の良否の判定と、
基地局より受信した下り共通チャネルに含まれるＴＦＣＩのデコード処理において得られる尤度値が閾値より小さいかの判定とを行い、
前記受信状態が良好で、尤度値が閾値より小さい時、移動局の復号部の動作を停止し、
前記受信状態が良好で尤度値が閾値より大きい時、および受信状態が不良の時、前記復号部を動作する、
ことを特徴とするランダムアクセス受信方法。
【請求項２】
前記下り共通チャネル内のトランスポートチャネルＴｒＣＨの最大ＴＴＩが複数のフレームで構成される場合、該複数フレームのうち特定フレームにおいて前記判定を行い、
受信状態が良好で、尤度値が閾値より小さい時、該最大ＴＴＩの特定フレーム以外のフレーム期間において、下り共通チャネルの逆拡散処理、復調処理を停止する、
ことを特徴とする請求項１記載のランダムアクセス受信方法。
【請求項３】
前記下り共通チャネル内のトランスポートチャネルＴｒＣＨの最大ＴＴＩが複数のフレームで構成される場合、該複数フレームのうち特定フレームにおいて前記判定を行い、
前記受信状態が良好で、尤度値が閾値より小さい時、該最大ＴＴＩの特定フレーム以外のフレーム期間において、下り共通チャネル及び共通パイロットチャネルの逆拡散処理、復調処理を停止すると共に、パスサーチ処理、受信処理を停止する、
ことを特徴とする請求項１記載のランダムアクセス受信方法。
【請求項４】
下り共通チャネルと上り共通チャネルにより基地局と移動局との間で通信を行う移動局のランダムアクセス受信装置において、
無線信号を受信する無線受信部、
下り共通チャネルで送られてきたデータ及びＴＦＣＩコードを逆拡散して復調する第１の逆拡散及び復調部、
復調されたデータを復号する復号部、
復調されたＴＦＣＩをデコード処理して得られる尤度値が閾値より小さいか判定する判定部、
共通パイロットチャネルで送られてきた信号を逆拡散して復調する第２の逆拡散及び復調部、
前記第２の逆拡散の逆拡散結果あるいは復調結果に基づいて受信状態の良否を判定する受信状態良否判定部、
前記基地局からの下り信号受信状態が良好で、基地局より受信した下り共通チャネルに含まれるＴＦＣＩのデコード処理において得られる尤度値が閾値より小さい時、前記復号部の動作を停止し、前記受信状態が良好で尤度値が閾値より大きい時、および受信状態が不良の時、前記復号部を動作する制御部、
を備えたことを特徴とする移動局のランダムアクセス受信装置。
【請求項５】
前記判定部は、前記下り共通チャネル内のトランスポートチャネルＴｒＣＨの最大ＴＴＩが複数のフレームで構成される場合、該複数フレームのうち特定フレームにおいて前記判定を行い、
前記制御部は、受信状態が良好で、尤度値が閾値より小さい時、該最大ＴＴＩの特定フレーム以外のフレーム期間において、下り共通チャネルの逆拡散処理、復調処理を停止する、
ことを特徴とする請求項４記載の移動局のランダムアクセス受信装置。
【発明の詳細な説明】
【０００１】
【発明の属する技術分野】
本発明は、下り共通チャネルと上り共通チャネルにより基地局との間で通信を行うランダムアクセス状態における移動局のランダムアクセス受信方法及び受信装置に係わり、特に、Ｗ−ＣＤＭＡ端末装置など３ＧＰＰ規格に準ずる無線通信装置内において、ランダムアクセス中の受信無し区間を特定し、その区間電源供給を切断して省電力化を図るランダムアクセス受信方法及び受信装置に関する。
【０００２】
【従来の技術】
Ｗ−ＣＤＭＡシステムにおいて、移動端末装置が基地局装置と通信を行うためには、最初に、セルサーチを行って基地局のフレームタイミング／スロットタイミング、スクランブルコードを識別し、しかる後、これらの識別情報を用いて移動端末装置と基地局装置間で接続処理を行う。すなわち、下り共通チャネルであるＳｅｃｏｎｄａｒｙ  Ｃｏｍｍｏｎ  Ｃｏｎｔｒｏｌ  Ｐｈｙｓｉｃａｌ  Ｃｈａｎｎｅｌ（以後ＳＣＣＰＣＨと略称）と上り共通チャネルであるＰｈｙｓｉｃａｌ  Ｒａｎｄｏｍ  Ａｃｃｅｓｓ  Ｃｈａｎｎｅｌ（以後ＰＲＡＣＨと略称）により、基地局装置（実際はネットワーク）と端末装置間で接続処理を行う。この状態はランダムアクセス状態であり、アクセス状態（Ａｃｃｅｓｓ  Ｓｔａｔｅ）と呼ばれる。
【０００３】
アクセス状態（Ａｃｃｅｓｓ  Ｓｔａｔｅ）により接続処理が完了すると個別物理チャネルＤｅｄｉｃａｔｅｄ  Ｐｈｙｓｉｃａｌ  Ｃｈａｎｎｅｌ（以後ＤＰＣＨと略称）により、基地局装置と端末装置間で個別に通信を行う。この状態は個別状態（Ｄｅｄｉｃａｔｅｄ  Ｓｔａｔｅ）と呼ばれる。
また、パケット通信など不連続にトラフィックの増減が発生する状態では、トラフィック減少時には、個別状態（Ｄｅｄｉｃａｔｅｄ  Ｓｔａｔｅ）からアクセス状態（Ａｃｃｅｓｓ  Ｓｔａｔｅ）に移行し、トラフィック増加時に、再び個別状態（Ｄｅｄｉｃａｔｅｄ  Ｓｔａｔｅ）に復帰することにより、最小限の無線リソースで複数のユーザに対応することを可能としている。
【０００４】
（ａ）ランダムアクセス中の移動局の構成
図１１は３ＧＰＰ規格に準ずるＷ−ＣＤＭＡシステムにおける移動局（移動端末装置）のランダムアクセス中の構成図である。
無線部１は高周波の受信信号をべースバンド信号に変換し、ＡＤ変換して出力する。サーチャ２は上位レイヤ９からのチャネル送受信要求により、移動局に割り当てられた拡散コードと受信信号との相関を演算してマルチパスの各パスのタイミングを検出し、該タイミングを下り共通チャネルＳＣＣＰＣＨ用の逆拡散部３と共通パイロットチャネルＣＰＩＣＨ用の逆拡散部４に入力する。各逆拡散部３，４は入力された各タイミングで受信信号に既知のコードを用いて逆拡散すると共に、各タイミングの逆拡散結果をレーク合成して復調部５，６に入力する。ＳＣＣＰＣＨ用フレームは図１２に示すように１フレーム（１０ｍｓｅｃ）当り＃０〜＃１４の１５個の各スロットにＴＦＣＩ、Ｐｉｌｏｔの制御信号とデータＤａｔａを含んでいるから、復調部５は、データとＴＦＣＩ（符号化されている）を復調して出力する。
【０００５】
ＴＦＣＩ（Ｔｒａｎｓｍｉｓｓｉｏｎ  Ｆｏｒｍａｔ  Ｃｏｍｂｉｎａｔｉｏｎ  Ｉｎｄｉｃａｔｏｒ）は、送信側において、各トランスポートチャネルＴｒＣＨの符号化データを多重して送信する時に、受信側で正しく分離できるように、どのように各トランスポートチャネルＴｒＣＨの符号化データを多重したかを示すパラメータである。送信側では、ＴＦＣＩに符号化処理を施してＴＦＣＩ  Ｃｏｄｅ  Ｗｏｒｄ（３２ビットデータ）を作成し、このＴＦＣＩ  Ｃｏｄｅ  Ｗｏｒｄを送信する。ＴＦＣＩデコーダ７は、ＴＦＣＩ  Ｃｏｄｅ  ＷｏｒｄよりＴＦＣＩを復号して復号部８に入力する。復号部８は，該ＴＦＣＩを用いて各ＴｒＣＨ毎に復号処理を行ない復号結果を上位レイヤ部９に入力する。
【０００６】
上記のアクセス状態（Ａｃｃｅｓｓ  Ｓｔａｔｅ）において、移動局ＭＳは移動により、下り共通チャネルＳＣＣＰＣＨの受信対象の基地局ＢＴＳから遠ざかる場合、周辺の基地局ＢＴＳへ基地局変更を行う必要がある。このため、移動局ＭＳは周期的に周辺基地局ＢＴＳの監視を行う必要があり、この監視は、Ｓ判定と呼ばれる３ＧＰＰで定義される判定を元に行われる。
復調部６は上位レイヤ部９よりレベル測定要求があれば、共通パイロットチャネルＣＰＩＣＨよりパイロット信号を復調してＳ判定部１０に入力する。Ｓ判定部１０はパイロットの信号レベルに基づいて周辺セル（隣接セル）の測定を実行するか否かを決定し、▲１▼測定する必要がなければ（Ｓ判定良好）、測定せず、▲２▼測定する必要があれば（Ｓ判定不良）、周辺セルのパイロット信号レベルを測定して上位レイヤ部９に入力する。上位レイヤ部９は周辺セルのパイロット信号レベルに基づいて基地局変更のためのソフトハンドオフ制御を行う。
【０００７】
以下はＳ判定部１０の判定アルゴリズムである。
セルにおける測定セル品質値（下り共通チャネルＣＰＩＣＣＨの受信信号品質Ｅｃ／Ｎｏ）をＱｑｕａｌｍｅａｎｓ、セルの最小必要品質レベルをＱｑｕａｌｍｉｎとして次式
Ｓｑｕａｌ＝Ｑｑｕａｌｍｅａｎｓ−Ｑｑｕａｌｍｉｎ
によりＳｑｕａｌを算出する。ついで、Ｓｑｕａｌと上位より指定されているＳｉｎｔｒａｓｅａｒｃｈ  、Ｓｉｎｔｅｒｓｅａｒｃｈを比較し、
Ｓｑｕａｌ＞Ｓｉｎｔｒａｓｅａｒｃｈであれば、同一周波セルに対して隣接セルの測定を行わない（Ｓ判定良好）。しかし、Ｓｑｕａｌ≦Ｓｉｎｔｒａｓｅａｒｃｈであれば同一周波セルに対して隣接セルの測定を行なって測定レベルを上位レイヤ部９に入力する（Ｓ判定不良）。また、
Ｓｑｕａｌ＞Ｓｉｎｔｅｒｓｅａｒｃｈであれば、異周波セルに対して隣接セルの測定を行わない（Ｓ判定良好）。しかし、Ｓｑｕａｌ≦  Ｓｉｎｔｅｒｓｅａｒｃｈ  であれば異周波セルに対して隣接セルの測定を行なって測定レベルを上位レイヤ部９に入力する（Ｓ判定不良）。
【０００８】
（ｂ）ＴＦＣＩ
Ｗ−ＣＤＭＡにおいて、図１３に示すように伝送時間間隔ＴＴＩ  （Ｔｒａｎｓｍｉｓｓｉｏｎ  Ｔｉｍｅ  Ｉｎｔｅｒｖａｌ）は、１０ｍｓ，  ２０ｍｓ，  ４０ｍｓ，  ８０ｍｓに規定され、それぞれ１，２，４，８フレームで１ＴＴＩとなり、このＴＴＩ単位でデータが符号化される。たとえば、ＴＴＩ＝４０ｍｓのトランスポートチャネルＴｒＣＨであれば４フレームが１単位となって符号化される。そして、各ＴｒＣＨの符号化データは１０ｍｓｅｃ単位で多重されて送信される。
ＴＦＣＩは、送信側において、各ＴｒＣＨの符号化データを多重して送信する時に、受信側で正しく分離できるように、どのように各ＴｒＣＨの符号化データを多重したかを示すパラメータである。すなわち、ＴＦＣＩは各ＴｒＣＨでそれぞれ送信するデータの１ＴＴＩ当たりのビット長（ブロック数ＮＢＬＫとブロックビット長ＬＢＬＫ）を特定するトランスポートフォーマットの組み合わせにより一意に決定される。
【０００９】
トランスポートフォーマットには番号がつけられており、ＴＦＩ（Ｔｒａｎｓｐｏｒｔ  Ｆｏｒｍａｔ  Ｉｎｄｉｃａｔｏｒ）と記す。例えば３ＧＰＰで標準化されている下り３８４ｋｂｐｓのパケットをトランスポートチャネルＴｒＣＨ＃１で、制御ＣＨ用のＤＣＣＨデータをトランスポートチャネルＴｒＣＨ＃２で多重して送信する場合におけるＴＦＩテーブルの一例を図１４（Ａ），（Ｂ）に示す。３８４ｋｂｐｓ（ＴｒＣＨ＃１）のトランスポートフォーマットは６種類あり、それぞれの１ＴＴＩ当たりのビット長は、０×３３６ビット、１×３３６ビット、２×３３６ビット、４×３３６ビット、８×３３６ビット、１２×３３６ビットであり、ＴＦＩは０，１，２，３，４，５である。また、制御ＣＨ用のＤＣＣＨデータ（ＴｒＣＨ＃２）のトランスポートフォーマットは２種類あり、１ＴＴＩ当たりのビット長は０×１４８ビット、１×１４８ビットであり、ＴＦＩはそれぞれ０，１である。
【００１０】
トランスポートチャネルがＴｒＣＨ＃１，ＴｒＣＨ＃２の２種類のみとすれば、ＴｒＣＨ＃１，ＴｒＣＨ＃２のＴＦＩの組み合わせは図１４（Ｃ）に示すように全部で１２個あり、それぞれの組み合わせに対してＴＦＣＩが定められており、送信側では組み合わせに応じたＴＦＣＩを決定し、該ＴＦＣＩを符号化して送信する。たとえば、ＴＴＩ＝２０ｍｓｅｃのＴｒＣＨ＃１から１ＴＴＩ当たりビット数が２×３３６ｂｉｔのデータと１ＴＴＩ当たりビット数が１×３３６ｂｉｔのデータを連続して送信し、ＴＴＩ＝４０ｍｓｅｃのＴｒＣＨ＃２から１ＴＴＩ当たりビット数が１×１４８ｂｉｔのデータを送信するものとすれば、１０ｍｓ毎の４フレーム分の多重データは、図１４（Ｄ）に示すようなＴＦＩの組み合わせとなる。そこで、各組み合わせにおけるＴＦＣＩに符号化処理を施してＴＦＣＩ  Ｃｏｄｅ  Ｗｏｒｄ（３２ビットデータ）を作成し、このＴＦＣＩ  Ｃｏｄｅ  Ｗｏｒｄをフレーム毎に送信する。受信側では、ＴＦＣＩ  Ｃｏｄｅ  Ｗｏｒｄを復号してＴＦＣＩを求め，該ＴＦＣＩより各ＴｒＣＨのトランスポートフォーマット（ＴＦＩ）を求め、ついで、ＴＦＩテーブルより各ＴｒＣＨ毎に１ＴＴＩ当たりのブロック数ＮＢＬＫ、ブロックビット長ＬＢＬＫを求めると共にＴＴＩのビット長を求めて復号処理を行なう。
ＴＦＣＩ  Ｃｏｄｅ  Ｗｏｒｄは、例えばＴＦＣＩ値をアダマール行列の１つの行を構成する符号語に変換することにより得られる。又、ＴＦＣＩの複合処理は、受信符号にアダマール変換（Ｆａｓｔ  Ｈａｒｄａｒｍａｒｄ  Ｔｒａｎｓｆｏｒｍ）を施すことにより行われる。すなわち、ＴＦＣＩデコーダは、Ｆａｓｔ  Ｈａｒｄａｒｍａｒｄ  Ｔｒａｎｓｆｏｒｍを用いて、許される全てのＴＦＣＩに対して、尤度を算出し最も尤度の高いＴＦＣＩを送信されたＴＦＣＩと決定する。なお、かかるＴＦＣＩの復号動作は周知であるので詳細な説明は省略する。
【００１１】
（ｃ）ランダムアクセス中の動作
ところで、アクセス状態（Ａｃｃｅｓｓ  Ｓｔａｔｅ）において、移動局ＭＳが受信すべきデータは瞬時的に発生し、この時間は数十ｍｓ程度である。しかしながら、移動局ＭＳの受信装置は、データを受信する区間が未知な為、すなわち、いつデータを受信するか不明であるため、連続して待ち受け状態にあり、常時、データを復調、復号している。このため、データを受信していない状態でも各部で受信動作を行っているため消費電流が増加し、バッテリーの消耗が大きい問題がある。
バッテリー消耗量を削減する従来技術として、待ち受け時に複数の基地局から電波が送信されるＷ−ＣＤＭＡ端末の節電システムにおいて、複数の基地局の中から受信レベルが最も良好な受信基地局を探し、該受信基地局のみから受信することにより待ち受け時におけるバッテリーの消費電流を削減する技術（特許文献１）がある。
また、ＴＦＣＩの判定精度を向上させると共にＴＦＣＩの判定に擁する処理量及び消費電流を削減する従来技術として、閾値以上の最大値を有するＴＦＣＩを受信データフォーマットと認定する技術（特許文献２）がある。
【特許文献１】特開２００１−１６９３３７号公報
【特許文献２】特開２００２−１６４８７１号公報
【００１２】
【発明が解決しようとする課題】
上記従来技術は、アクセス状態（Ａｃｃｅｓｓ  Ｓｔａｔｅ）において常時連続してデータを復調、復号することに起因する消費電流の増加を防止するものではなく、アクセス状態（Ａｃｃｅｓｓ  Ｓｔａｔｅ）において常時連続してデータを復調、復号するものである。
以上から本発明の目的は、データを受信する可能性がない期間を予測してデータ復号部の動作を停止してバッテリーの消費電流を軽減することである。
本発明の別の目的は、データを受信する可能性がない期間を予測してデータ復号部のみならず、その他の逆拡散部、復調部、サーチャ、受信部などの動作を停止してバッテリーの消費電流を軽減することである。
【００１３】
【課題を解決するための手段】
本発明の第１の実施態様においては、基地局よりの信号受信状態の良否を判定するとともに、基地局より受信した下り共通チャネル（たとえばＳＣＣＰＣＨ）に含まれるＴＦＣＩのデコード処理において得られる尤度値が閾値より小さいか判定し、前記受信状態が良好で、尤度値が閾値より小さい時、移動局の復号部の動作を停止し、前記受信状態が良好で尤度値が閾値より大きい時、および受信状態が不良の時、前記復号部を動作する。第１の実施態様によれば、データを受信する可能性があるか否かを予測してデータ復号部の動作をオン／オフすることができバッテリーの消費電流を軽減することができる。
【００１４】
第２実施態様では、第１実施態様の制御に加えて以下の制御を行う。下り共通チャネル（ＳＣＣＰＣＨ）内のトランスポートチャネルＴｒＣＨの最大ＴＴＩが複数のフレームで構成される場合、該複数フレームのうち特定フレームにおいて前記判定を行い、受信状態が良好で、尤度値が閾値より小さい時、該最大ＴＴＩの特定フレーム以外のフレーム期間において、下り共通チャネルＳＣＣＰＣＨの逆拡散処理、復調処理を停止する。第２の実施態様によれば、データを受信する可能性があるか否かを予測してデータ復号部のみならず、下り共通チャネルの逆拡散部、復調部の動作をオン／オフして消費電流を軽減することができる。
【００１５】
第３実施態様では、第１実施態様の制御に加えて以下の制御を行う。下り共通チャネル（ＳＣＣＰＣＨ）内のトランスポートチャネルＴｒＣＨの最大ＴＴＩが複数のフレームで構成される場合、該複数フレームのうち特定フレームにおいて前記判定を行い、受信状態が良好で、尤度値が閾値より小さい時、該最大ＴＴＩの特定フレーム以外のフレーム期間において、下り共通チャネルＳＣＣＰＣＨ及びＳ判定用の共通パイロットチャネルＣＰＩＣＨの逆拡散処理、復調処理を停止すると共に、パスサーチ処理、受信処理を停止する。第３の実施態様によれば、ますます消費電流を軽減することができ、また、かかる制御をした場合にもＳ判定を定期的に行う事が出来る。
【００１６】
【発明の実施の形態】
（Ａ）第１実施例
図１はランダムアクセス状態における移動局の第１実施例の構成図である。
図１の第１実施例が図１１の従来技術と異なる点は、▲１▼受信無し判定部１１を追加した点、▲２▼ＴＦＣＩデコーダ７がＴＦＣＩ尤度を受信無し判定部１１に入力する点、▲３▼Ｓ判定部が受信状態の良否を判定し、その結果を受信無し判定部１１に入力する点、▲４▼受信無し判定部１１がＴＦＣＩ尤度と受信状態の良否とに基づいて復号部８の復号処理のＯＮ／ＯＦＦを制御する点である。なお、Ｓ判定部１０はパイロット信号レベルあるいは逆拡散部４の逆拡散結果（ＣＰＩＣＨのＥｃ／Ｎｏ（ｄＢ））が閾値以上か否かに基づいて受信状態の良否を判定して受信状態良／不良を受信無し判定部１１に入力する。又、ＴＦＣＩデコーダ７はＴＦＣＩ尤度と閾値を比較し、その大小判定結果を受信無し判定部１１に入力するようにもできる。
受信無し判定部１１は、Ｓ判定結果とＴＦＣＩの尤度を用いて、受信データが存在しない区間（データを受信しない区間）を特定し、該区間では復号処理を停止するようにしている。
【００１７】
下り共通チャネルＳＣＣＰＣＨは、データが存在しない区間では基地局ＢＴＳにより送信が行われない場合がある。よって、この場合は、ＴＦＣＩの尤度も小さくなる。ただし、ＴＦＣＩの尤度は、干渉などによっても小さくなることが想定される。そこで、Ｓ判定結果を参照し、Ｓ判定結果が良好なときは、受信状態が良好で干渉などが少なく、ＴＦＣＩの尤度の大小に基づいてデータ有りの区間と無しの区間を判定できる。すなわち、Ｓ判定結果が良好なとき、▲１▼ＴＦＣＩの尤度が大きければ、受信データ有りの区間であると判定でき、▲２▼ＴＦＣＩの尤度が小さければ受信データ無しの区間であると判定でき、２極化できる。
【００１８】
図２はＳ判定結果不良時のデータ無しの確率分布Ａとデータ有りの確率分布Ｂの関係を示す。Ｓ判定結果不良時、ＴＦＣＩ尤度が小さいとデータ無しの確率は大きくなり、ＴＦＣＩ尤度が大きいとデータ有りの確率は大きくなる。しかし、Ｓ判定結果不良時、データ無しの確率分布Ａとデータ有りの確率分布Ｂが交差する。この為、交差区間においてＴＦＣＩ尤度に基づいてデータ無しとデータ有りを確実に予測することが出来ない。これに対してＳ判定結果良好時にはデータ無しの確率分布Ａとデータ有りの確率分布Ｂは交差しない。
【００１９】
図３はＳ判定結果良好時のデータ無しの確率分布Ａとデータ有りの確率分布Ｂの関係を示す。Ｓ判定結果良好時、ＴＦＣＩ尤度が小さいとデータ無しの確率は大きくなり、ＴＦＣＩ尤度が大きいとデータ有りの確率は大きくなるが、データ無しの確率分布Ａとデータ有りの確率分布Ｂは交差しない。この為、受信無し判定部１１は、ＴＦＣＩ尤度と予め設定されている閾値ＴＦＣＩＴＨとを比較し、ＴＦＣＩ尤度の高低を判断し、Ｓ判定結果を参照することにより、正確に受信無し区間を特定する。すなわち、受信無し判定部１１は、
▲１▼Ｓ判定結果良好時、すなわち、受信状態が良好時、ＴＦＣＩ尤度が閾値ＴＦＣＩＴＨより小さければデータ無し区間であると判定し、
▲２▼Ｓ判定結果良好時、すなわち、受信状態が良好時、ＴＦＣＩ尤度が閾値ＴＦＣＩＴＨより大きければデータ有り区間であると判定し、
▲３▼Ｓ判定結果不良時、すなわち、受信状態が不良時、データ無し区間とデータ有り区間を区別できないと判定する。
【００２０】
図４は第１実施例の動作説明図であり、受信無し判定部１１は上記▲１▼〜▲３▼の状態であるか判定し、▲１▼の状態であれば復号部８の動作をオフ（復号部の電源をオフ）し、▲２▼、▲３▼の状態であれば復号部８の動作をオン（復号部の電源をオン）する。
図５はランダムアクセス受信中の一連の受信処理と受信区間無し判定及び復号部の制御フロー例である。
Ｓ判定タイミングになったか監視し（ステップ１０１）、Ｓ判定タイミングであれば逆拡散部４及び復調部６は共通パイロットチャネルＣＰＩＣＨを逆拡散してパイロット信号を復調し（ステップ１０２）、Ｓ判定部７は該パイロット信号レベルに基づいてＳ判定し、判定結果を受信無し判定部１１に入力する（ステップ１０３）。
逆拡散部３及び復調部５は下り共通チャネルＳＣＣＰＣＨを逆拡散してデータとＴＦＣＩを復調する（ステップ１０４）。ＴＦＣＩデコーダ７は、ＴＦＣＩ  Ｃｏｄｅ  ＷｏｒｄよりＴＦＣＩを復号して復号部８に入力すると共に、ＴＦＣＩ尤度を受信無し判定部１１に入力する（ステップ１０５）。
【００２１】
ついで、受信無し判定部１１は受信無し判定を行う（ステップ１０６）。受信無し判定において、受信無し判定部１１はＳ判定結果を参照し（ステップ１０６ａ）、Ｓ判定不良であれば、すなわち、受信状態が不良であれば、図２に示すようにＴＦＣＩ尤度が干渉の影響を受けるため、閾値による受信無し判定は行わず復号処理を継続して行うよう制御する。一方、Ｓ判定が良好であれば、すなわち、受信状態が良好であれば、図３に示すように、ＴＦＣＩ尤度が干渉の影響を受けないため、ＴＦＣＩデコード結果を取得し（ステップ１０６ｃ）、閾値ＴＦＣＩＴＨによる受信無し判定を行う（ステップ１０６ｄ）。
【００２２】
ＴＦＣＩ尤度が閾値ＴＦＣＩＴＨより高い場合は、受信区間有りと判定し、復号部８への電源供給を継続して復号処理を行わせる。しかし、ＴＦＣＩ尤度が閾値ＴＦＣＩＴＨより低ければ、受信区間無しと判定し、復号部８への電源供給をオフして復号処理を停止し、省電力を実現する（ステップ１０６ｅ）。これにより、Ｓ判定が良好となるエリアに移動局（端末装置）がいる場合、ネットワークが情報を送信時のみ、移動局の復号処理を動作させることが可能となる。
以後、復号部８はデータ入力がなければ（ステップ１０７）、復号動作せず、データ入力が有れば復号動作を実行して復号結果を上位レイヤ部９に入力する（ステップ１０８）。
【００２３】
（Ｂ）第２実施例
図６はランダムアクセス状態における移動局の第２実施例の構成図である。
図６の第２実施例が図１の第１実施例と異なる点は、▲１▼受信無し判定部１１の判定処理と、▲２▼動作を停止する範囲を下り共通チャネルＳＣＣＰＣＨの逆拡散処理、復調処理まで拡張した点である。
下り共通チャネルＳＣＣＰＣＨ内の最大ＴＴＩの特定フレームにて、第１実施例と同様の受信無し判定を行い、該特定フレーム（たとえば先頭フレーム）が受信無し区間であれば、以後、該当ＴＴＩに対して復号処理を停止すると共に、該当ＴＴＩ内の前記特定フレーム以外のフレームにおいてＳＣＣＰＣＨの逆拡散及び復調も停止する。これは、下り共通チャネルＳＣＣＰＣＨ内のＴｒＣＨの最大ＴＴＩにおいて、同一のＴＦＣＩとすることが３ＧＰＰで規定されているからであり、したがって、最大ＴＴＩ内の特定フレームがデータ無しならば、そのＴＴＩ区間は全てデータ無しとみなすことが出来る。よって、特定フレーム（たとえば先頭フレーム）に対して、逆拡散、復調処理を行いＴＦＣＩの尤度を取り出し、その結果データ無しと判定すれば、同一ＴＴＩ内の他のフレームに関して逆拡散及び復調をも不要にできる。
【００２４】
以上より、受信無し判定部１１は、下り共通チャネルＳＣＣＰＣＨ内のトランスポートチャネルＴｒＣＨの最大ＴＴＩが複数のフレームで構成される場合、該複数フレームのうち先頭フレームにおいて第１実施例と同様の判定を行う。そして、［１］受信状態が良好で、尤度値が閾値より小さい時、▲１▼以降の復号部８の電源をオフして動作を停止すると共に、▲２▼該最大ＴＴＩの先頭フレーム以外のフレーム期間において、下り共通チャネルＳＣＣＰＣＨの逆拡散処理、復調処理を停止する。
一方、［２］受信状態が良好で、尤度値が閾値より大きい時、▲３▼復号処理を停止することなく継続し、▲４▼ＳＣＣＰＣＨの逆拡散処理、復調処理も継続する。
また、［３］Ｓ判定結果不良時、すなわち、受信状態が不良時、データ無し区間とデータ有り区間を区別できないと判定し、▲５▼復号処理を停止することなく継続し、▲６▼ＳＣＣＰＣＨの逆拡散処理、復調処理も継続する。
【００２５】
図７は最大ＴＴＩ＝２フレームの場合の第２実施例の動作説明図であり、受信無し判定部１１は、最大ＴＴＩの先頭フレームにおいて常に上記［１］〜［３］の状態であるか判定する。そして、［１］の状態であれば、▲１▼復号部８の動作をオフ（復号部の電源をオフ）し、▲２▼先頭フレーム以外のフレーム期間において、逆拡散部３及び復調部５の動作をオフ（電源をオフ）する。また、［２］の状態であれば、▲３▼復号部８の動作をオン（復号部の電源をオン）し、▲４▼逆拡散部３及び復調部５の動作をオンする。また、［３］の状態であれば、▲５▼復号部８の動作をオン（復号部の電源をオン）し、▲６▼逆拡散部３及び復調部５の動作をオンする。
【００２６】
図８はランダムアクセス受信中の一連の受信処理と受信区間無し判定及び復号部等の制御フロー例であり、図５の第１実施例のフローと同一部分には同一番号を付している
異なる点は、ステップ１０１〜１０３の処理後、最大ＴＴＩの特定フレーム（先頭フレーム）であるかチェックし（ステップ２０１）、先頭フレームであれば第１実施例と同一の処理ステップ１０４〜１０８の処理を行う。ただし、ステップ１０６において、受信無し区間と判定した場合には、復号部８への電源供給をオフして復号処理を停止し、省電力を実現すると共に、ＴＴＩの先頭フレーム以外のフレーム区間、逆拡散部３及び復調部５への電源供給をオフして逆拡散処理及び復調処理を停止し、省電力を実現する。
【００２７】
ステップ２０１において、先頭フレームでなければ、受信有りか判断し（ステップ２０２）、受信がなければ逆拡散処理、復調処理、復号処理をしない。一方、受信ありであれば、逆拡散処理、復調処理、復号処理動作中であるから、これらの処理を行って復号データを上位レイヤ部９に入力する（ステップ２０３￣２０５）
第２実施例によれば、受信無し判定を特定フレームのみに行うことにより、受信無しと判定されたＴＴＩの特定フレーム以外のＳＣＣＰＣＨ逆拡散処理と復調処理とＴＴＩの全てのフレームの復号処理を停止し省電力を実現できる。
【００２８】
（Ｃ）第３実施例
図９はランダムアクセス状態における移動局の第３実施例の構成図である。
図９の第３実施例が図６の第２実施例と異なる点は、受信無し判定部１１が最大ＴＴＩの特定フレーム区間で受信無しと判定したとき、復号部８、ＳＣＣＰＣＨ用の逆拡散部３、復調部５の動作を停止すると共に、無線受信部１、サーチャー２、Ｓ判定に用いる共通パイロットチャネルＣＰＩＣＨ用の逆拡散部４、復調部６の動作をも停止する点である。
なお、Ｓ判定は、連続的に行う必要は無く、周期的に行えばよく、従って、ＣＰＩＣＨの逆拡散、復調動作を実施例２の特定フレーム（たとえば先頭フレーム）にて行うようにすることでＣＰＩＣＨの逆拡散、復調をも停止することが出来る。すなわち、受信無し判定部１１が最大ＴＴＩの特定フレーム区間で受信無しと判定したとき、▲１▼復号部８の動作をオフ（復号部の電源をオフ）し、▲２▼最大ＴＴＩの特定フレーム以外のフレーム期間において、下り共通チャネルＳＣＣＰＣＨ及び共通パイロットチャネルＣＰＩＣＨの逆拡散処理、復調処理を停止すると共に、パスサーチ処理、受信処理を停止する。
【００２９】
図１０はランダムアクセス受信中の一連の受信処理と受信区間無し判定及び復号部等の制御フロー例であり、図５の第１実施例のフローと同一部分には同一番号を付している
異なる点は、最初に現フレームが最大ＴＴＩの特定フレーム（先頭フレーム）であるか判断し（ステップ３０１）、「ＹＥＳ」であれば、第１実施例と同様にステップ１０１〜１０８の処理を行う点である。ただし、ステップ１０６において、受信無し区間と判定した場合には、復号部８への電源供給をオフして復号処理を停止し、省電力を実現すると共に、ＴＴＩの先頭フレーム以外のフレーム区間、逆拡散部３，４、復調部５，６、サーチャ２への電源供給をオフして逆拡散処理、復調処理、サーチ処理を停止し、省電力を実現する。
【００３０】
ステップ３０１において、先頭フレームでなければ、受信有りか判断し（ステップ３０２）、受信がなければ無線受信部１への電源供給をオフして受信処理を停止し、省電力を実現する（ステップ３０３）。
一方、ステップ３０２において受信があれば、先頭フレームにおいて受信有り区間と判定されて無線受信部１、サーチャ２、逆拡散部３，４、復調部５，６、復号部８は動作中であるから、逆拡散部３、復調部５は逆拡散処理、復調処理を行い、復号部８はＴＦＣＩを用いて復号処理を行って復号データを上位レイヤ部９に入力する（ステップ３０４〜３０６）。
第３実施例によれば、受信無し判定を行う特定フレームにて、Ｓ判定処理を行うことで、受信無しと判定された最大ＴＴＩの特定フレーム以外のフレーム区間において全受信系と最大ＴＴＩ内の全てのフレームの復調処理、復号処理を停止して省電力を実現できる。
【００３１】
【発明の効果】
以上本発明によれば、基地局よりの信号受信状態の良否を判定するとともに、基地局より受信した下り共通チャネルに含まれるＴＦＣＩのデコード処理において得られる尤度値が閾値より小さいか判定し、前記受信状態が良好で、尤度値が閾値より小さい時、移動局の復号部の動作を停止するようにしたから、バッテリーの消費電流を軽減することができる。
又、本発明によれば、下り共通チャネル内のトランスポートチャネルＴｒＣＨの最大ＴＴＩが複数のフレームで構成される場合、該複数フレームのうち特定フレームにおいて上記の判定を行い、受信状態が良好で、尤度値が閾値より小さい時、該最大ＴＴＩの特定フレーム以外のフレーム期間において、下り共通チャネルＳＣＣＰＣＨの逆拡散処理、復調処理を停止するようにしたから、ますます消費電流を軽減することができる。
又、本発明によれば、下り共通チャネルＳＣＣＰＣＨ内のトランスポートチャネルＴｒＣＨの最大ＴＴＩが複数のフレームで構成される場合、該複数フレームのうち特定フレームにおいて上記の判定を行い、受信状態が良好で、尤度値が閾値より小さい時、該最大ＴＴＩの特定フレーム以外のフレーム期間において、下り共通チャネルＳＣＣＰＣＨ及びＳ判定用の共通パイロットチャネルＣＰＩＣＨの逆拡散処理、復調処理を停止すると共に、パスサーチ処理、受信処理を停止するようにしたから、ますます消費電流を軽減することができ、かかる制御をした場合にもＳ判定を定期的に行う事が出来る。
【図面の簡単な説明】
【図１】ランダムアクセス状態における移動局の第１実施例の構成図である。
【図２】Ｓ判定結果不良時のデータ無しの確率分布Ａとデータ有りの確率分布Ｂの関係図である。
【図３】Ｓ判定結果良好時のデータ無しの確率分布Ａとデータ有りの確率分布Ｂの関係図である。
【図４】第１実施例の動作説明図である。
【図５】ランダムアクセス受信中の一連の受信処理と受信区間無し判定及び復号部の制御フロー例である。
【図６】ランダムアクセス状態における移動局の第２実施例の構成図である。
【図７】最大ＴＴＩ＝２フレームの場合の第２実施例の動作説明図である。
【図８】ランダムアクセス受信中の第２実施例における一連の受信処理と受信区間無し判定及び復号部等の制御フロー例である。
【図９】ランダムアクセス状態における移動局の第３実施例の構成図である。
【図１０】ランダムアクセス受信中の第３実施例における一連の受信処理と受信区間無し判定及び復号部等の制御フロー例である。
【図１１】３ＧＰＰ規格に準ずるＷ−ＣＤＭＡシステムにおける移動局のランダムアクセス中の構成図である。
【図１２】ＳＣＣＰＣＨ用フレーム構成図である。
【図１３】ＴＴＩ説明図である。
【図１４】ＴＦＣＩ説明図である。
【符号の説明】
１  無線部
２  サーチャ
３  下り共通チャネルＳＣＣＰＣＨ用の逆拡散部
４  共通パイロットチャネルＣＰＩＣＨ用の逆拡散部
５，６  復調部
７  ＴＦＣＩデコーダ
８  復号部
９  上位レイヤ
１０  Ｓ判定部
１１  受信無し判定部
【図１】
2004356837.tif 000003
【図２】
2004356837.tif 000004
【図３】
2004356837.tif 000005
【図４】
2004356837.tif 000006
【図５】
2004356837.tif 000007
【図６】
2004356837.tif 000008
【図７】
2004356837.tif 000009
【図８】
2004356837.tif 000010
【図９】
2004356837.tif 000011
【図１０】
2004356837.tif 000012
【図１１】
2004356837.tif 000013
【図１２】
2004356837.tif 000014
【図１３】
2004356837.tif 000015
【図１４】
2004356837.tif 000016